(57)【要約】【課題】光源の交換が容易である照明装置を提供すること。【解決手段】人が往来する往来空間Ｓｐを照明するための照明装置Ａ１であって、往来空間Ｓｐ内に設置された光源ユニット１と、光源ユニット１からの光が入射する入射面、および往来空間Ｓｐに向けて光を照射する１以上の照射部２２を有し、上記入射面から照射部２２へとその長手方向に光を導光する導光体２と、を備えている。【選択図】  図１
2009301988.tif 000002
【特許請求の範囲】
【請求項１】
人が往来する往来空間を照明するための照明装置であって、
上記往来空間内に設置された光源ユニットと、
一端に上記光源ユニットからの光が入射する入射面、および上記往来空間に向けて光を照射する１以上の照射部を有し、上記入射面から上記照射部へとその長手方向に光を導光する導光体と、
を備えていることを特徴とする、照明装置。
【請求項２】
上記光源ユニットは、その光源としてＬＥＤチップを備えている、請求項１に記載の照明装置。
【請求項３】
上記照射部は、長手方向に導光されてきた光を長手方向と交差する方向に反射する反射面と、反射された光を出射する出射面とを有する、請求項１または２に記載の照明装置。
【請求項４】
上記導光体には、上記入射面と上記照射部とを分割可能とする１以上の分割部が設けられている、請求項１ないし３のいずれかに記載の照明装置。
【発明の詳細な説明】
【技術分野】
【０００１】
本発明は、いわゆる屋内照明または屋外照明などに用いられる照明装置に関する。
【背景技術】
【０００２】
図１７は、従来の照明装置の一例を示している。同図に示された照明装置Ｘは、たとえば、屋内において人が往来する往来空間Ｓｐを照明するためのものである。一般的に、人は、屋内の床Ｆｌ上を歩くため、往来空間Ｓｐは、床Ｆｌに沿って屋内の下方に位置する。この往来空間Ｓｐを照明するために、照明装置Ｘは、天井Ｃｌに設置されている。照明装置Ｘは、その光源としてたとえば直管タイプの蛍光灯９１を備えている。
【０００３】
しかしながら、蛍光灯９１は、使用期間が長くなると、照度が暗くなったり、点灯しなくなったりする。このため、照明装置Ｘの使用者は、蛍光灯９１を定期的に交換することが不可欠である。たとえば天井Ｃｌに照明装置Ｘが配置される例のように、蛍光灯９１は往来空間Ｓｐに居る使用者の手が届かない位置にある場合がほとんどである。したがって、使用者は、たとえば脚立を準備し、これに上ることによって蛍光灯９１を交換することが強いられていた。さらに、往来空間Ｓｐ全体を均一に照明するために、天井Ｃｌに複数の照明装置Ｘが設けられている場合、脚立を用いた交換作業を繰り返さねばならない。
【０００４】
【特許文献１】特開２０００−１５６１１３号公報
【発明の開示】
【発明が解決しようとする課題】
【０００５】
本発明は、上記した事情のもとで考え出されたものであって、光源の交換が容易である照明装置を提供することをその課題とする。
【課題を解決するための手段】
【０００６】
本発明によって提供される照明装置は、人が往来する往来空間を照明するための照明装置であって、上記往来空間内に設置された光源ユニットと、一端に上記光源ユニットからの光が入射する入射面、および上記往来空間に向けて光を照射する１以上の照射部を有し、上記入射面から上記照射部へとその長手方向に光を導光する導光体と、を備えている。
【０００７】
このような構成によれば、上記光源ユニットの光源交換作業を、上記往来空間に居る作業者が行うことが可能である。したがって、光源交換作業に脚立などを用いる必要がなく、光源交換作業を容易に行うことができる。
【０００８】
本発明の好ましい実施の形態においては、上記光源ユニットは、その光源としてＬＥＤチップを備えている。このような構成によれば、たとえば光源として蛍光灯や白熱電球を用いる場合と比べて、上記光源ユニットの光源交換作業の頻度を少なくすることができる。
【０００９】
本発明の好ましい実施の形態においては、上記照射部は、長手方向に導光されてきた光を長手方向と交差する方向に反射する反射面と、反射された光を出射する出射面とを有する。このような構成によれば、上記導光体の所望の部位から光を照射することができる。
【００１０】
本発明の好ましい実施の形態においては、上記導光体には、上記入射面と上記照射部とを分割可能とする１以上の分割部が設けられている。このような構成によれば、上記導光体のうち上記照射部を含む部分を取り替えることにより、異なる態様で光を照射することができる。
【００１１】
本発明のその他の特徴および利点は、添付図面を参照して以下に行う詳細な説明によって、より明らかとなろう。
【発明を実施するための最良の形態】
【００１２】
以下、本発明の好ましい実施の形態につき、図面を参照して具体的に説明する。
【００１３】
図１は、本発明に係る照明装置の第１実施形態を示している。本実施形態の照明装置Ａ１は、光源ユニット１、導光体２、およびカバー３を備えている。照明装置Ａ１は、屋内において人が往来する往来空間Ｓｐを照明するための屋内照明として用いられる。本発明で言う往来空間Ｓｐは、屋内の居住者が床面に足を付けて居住するときに通常往来する空間、あるいは、屋外の歩行者などが道路を歩行するときに通常往来する空間を指す。たとえば、脚立などを用いない限りは到達し得ない高所などは往来空間Ｓｐには、含まれない。なお、本図においては、光源ユニット１およびカバー３を断面図で表している。
【００１４】
光源ユニット１は、照明装置Ａ１から照射される光を生じる部分であり、本実施形態においては、往来空間Ｓｐの端において床Ｆｌの隅に置かれている。図２は、光源ユニット１の断面を示している。本図に示すように、光源ユニット１は、ＬＥＤモジュール１１、レンズ１２、およびケース１３を備えている。ＬＥＤモジュール１１は、照明装置Ａ１の光源であり、たとえば白色光を発光可能に構成されている。より具体的には、ＬＥＤモジュール１１には、赤色光、緑色光、青色光を発光可能な複数のＬＥＤチップが備えられている。これらのＬＥＤチップからの光を混色させることにより、ＬＥＤモジュール１１から白色光が発せられる。これと異なり、たとえば青色光を発光可能なＬＥＤチップと、青色光によって励起されることにより黄色光を発する蛍光物質とが組み合わされた構成としてもよい。
【００１５】
レンズ１２は、ＬＥＤモジュール１１の正面に配置されており、ＬＥＤモジュール１１からの光の指向性を高めるためのものである。ケース１３は、ＬＥＤモジュール１１およびレンズ１２を収容している。光源ユニット１においては、ケース１３に設けられた扉（図示略）を開けることにより、ＬＥＤモジュール１１を取り出すことが可能に構成されている。
【００１６】
導光体２は、たとえば透明なアクリル樹脂からなり、図１に示すように全体がたとえば断面円形の棒状とされている。導光体２は、延長部２１と複数の照射部２２とを有している。延長部２１は、光源ユニット１からの光を、光源ユニット１から離れた場所にある照射部２２へと導くための部分である。本実施形態においては、延長部２１は、床Ｆｌに配置された光源ユニット１から壁Ｗｌに沿って天井Ｃｌへと延びている。図２に示すように、延長部２１の端面は、光源ユニット１からの光が入射する入射面２ａとされている。入射面２ａは、光源ユニット１の正面に配置されている。
【００１７】
図１に示すように、照射部２２は、往来空間Ｓｐに向けて光を照射するための部分であり、延長部２１を隔てて、光源ユニット１から離間した場所に配置されている。本実施形態においては、複数の照射部２２が、天井Ｃｌに配置されている。図３に示すように、照射部２２は、反射部２２ａと出射面２２ｂとによって構成されている。反射部２２ａは、導光体２内を長手方向に進行してきた光を、長手方向と交差する方向に反射するための部分である。本実施形態においては、反射部２２ａは、導光体２の長手方向に沿って配置された複数の溝によって構成されている。これらの溝は、導光体２の長手方向に垂直である方向に延びている。出射面２２ｂは、導光体２の径方向中心を挟んで反射部２２ａとは反対側に位置する面である。反射部２２ａによって反射された光は、出射面２２ｂから出射される。
【００１８】
カバー３は、照射部２２を覆う半円筒形状部品であり、たとえば乳白色の透光樹脂からなる。照射部２２から照射された光は、カバー３を透過することにより、適度に拡散される。これにより、図１に示すように、往来空間Ｓｐの全域が照明装置Ａ１によって照明される。
【００１９】
次に、照明装置Ａ１の作用について説明する。
【００２０】
本実施形態によれば、光源ユニット１は、人が往来する往来空間Ｓｐに置かれている。このため、ＬＥＤモジュール１１を交換する必要が生じても、光源交換作業を行う作業者は、たとえば脚立を用いることなく、高所での作業を強いられることもない。したがって、光源ユニット１のＬＥＤモジュール１１を容易に交換することができる。
【００２１】
ＬＥＤチップからなるＬＥＤモジュール１１は、たとえば蛍光灯と比べて適切に発光可能な寿命が格段に長い。このため、ＬＥＤモジュール１１を交換する頻度を、蛍光灯を交換する頻度よりも顕著に少なくすることが可能であり、作業者の負担をさらに軽減するのに適している。
【００２２】
照明装置Ａ１において発熱する主要部分は、光源ユニット１のＬＥＤモジュール１１であり、たとえば天井Ｃｌに固定された照射部２２からはほとんど発熱することがない。このため、照明装置Ａ１の放熱対策は光源ユニット１に施せば十分である。すなわち、照射部２２およびその周辺に重量増を伴う場合が多い放熱対策を施す必要がない。したがって、導光体２のうちたとえば天井Ｃｌによって支持される部分の軽量化が可能である。
【００２３】
図４〜図１６は、本発明の他の実施形態を示している。なお、これらの図において、上記実施形態と同一または類似の要素には、上記実施形態と同一の符号を付している。
【００２４】
図４は、本発明に係る照明装置の第１実施形態の変形例を示している。本変形例においては、照明装置Ａ１は、複数の導光体２を備えている。複数の導光体２は、互いに平行に配置されており、それぞれが壁Ｗｌから天井Ｃｌへと延びている。このような実施形態は、往来空間Ｓｐを均一に照明するのに適している。
【００２５】
図５は、本発明に係る照明装置の第２実施形態を示している。本実施形態の照明装置Ａ２は、駅のプラットフォームＰｆにおいて、乗客が往来する往来空間Ｓｐを照明するために用いられるものとして構成されている。光源ユニット１は、プラットフォームＰｆ上に置かれている。導光体２の延長部２１は、壁Ｗｌに沿って立ち上がっている。そして、複数の照射部２２が、天井Ｃｌに沿ってプラットフォームＰｆの長手方向に等間隔で配置されている。
【００２６】
本実施形態においても、光源ユニット１の光源であるＬＥＤモジュール１１を容易に交換することができる。特に、プラットフォームＰｆの往来空間Ｓｐは、１方向に極端に長い空間となる。このため、複数の照射部２２のうち光源ユニット１から最も遠いものは、光源ユニット１からの距離が数十ｍ程度と、相当の遠距離に位置する。しかし、光源交換作業においては、光源ユニット１について作業を行えば足りる。このため、作業者は、プラットフォームＰｆの端から端まで光源交換作業のために行き来する必要がなく、プラットフォームＰｆの各所においてたとえば脚立を用いて作業することが強いられることもない。
【００２７】
図６は、本発明に係る照明装置の第３実施形態を示している。本実施形態の照明装置Ａ３は、屋外の道路Ｒｄを往来する人の往来空間Ｓｐのうち、特に歩行者の足元を照明するために用いられる。本実施形態においては、光源ユニット１が道路Ｒｄ上に配置されており、道路Ｒｄに沿って導光体２が延びている。複数の照射部２２は、道路Ｒｄに沿って等間隔で配置されている。
【００２８】
このような実施形態においても、光源交換作業を容易に行うことができる。また、一般に、屋外照明は風雨や衝撃などの対策を施すことが強いられる。照明装置Ａ３によれば、光源ユニット１に対して風雨や衝撃などの対策を重点的に施せばよい。
【００２９】
図７は、本発明に係る照明装置の第４実施形態を示している。本実施形態の照明装置Ａ４は、道路脇に設置される街路灯として構成されている。延長部２１は、光源ユニット１から鉛直方向に立ち上がっている。照射部２２は、延長部２１の上端に繋がっており、本実施形態においてはリング状とされている。想像線で示したカバー３は、導光体２全体を覆っている。カバー３のうち照射部２２を覆う部分は乳白色の透光樹脂からなる。一方、カバー３のうち延長部２１を覆う部分は、導光体２を支持するのに適したたとえば樹脂製の円筒部材とされている。このような実施形態においても、光源交換作業において高所作業が強いられることが無く、光源交換作業を容易に行うことができる。
【００３０】
図８および図９は、本発明に係る照明装置の第５実施形態を示している。本実施形態の照明装置Ａ５は、照明装置Ａ４と同様に道路脇に設置される街路灯として構成されている。導光体２の先端部分は、端部に向かうほど末広がり状に断面が大となる形状とされている。出射面２２ｂは凹面状とされている。これにより、出射面２２ｂを透過する光をより広い範囲に向けて出射することができる。
【００３１】
図１０〜図１６は、本発明に係る照明装置の第６実施形態を示している。本実施形態の照明装置Ａ６は、それぞれが導光体２の照射部２２を構成要素として含む照明ユニット２４Ａ，２４Ｂ，２４Ｃ，２４Ｄを備えている。各導光体２には、照明ユニット２４Ａ，２４Ｂ，２４Ｃ，２４Ｄを切り離すための分割部２３が設けられている。図１１に示すように、導光体２は、分割部２３において切断されており、対向面２３ａ，２３ｂが互いに対向する構造とされている。対向面２３ａは、天井Ｃｌに対して固定されている。同図に示された導光体２のうち分割部２３よりも先端寄りの部分は、照明ユニット２４Ａの構成部品とされている。照明ユニット２４Ａは、対向面２３ｂから入射した光を反射部２２ａによって反射させた後に出射面２２ｂから出射する。また、照明ユニット２４Ａは、出射面２２ｂから出射した光を拡散および透過させるカバー３を有している。照明ユニット２４Ａは、全体が直棒状とされており、直管型蛍光灯に類似した形状とされている。たとえば、異なる色調のカバー３を備えた複数の照明ユニット２４Ａを適宜取り替えることにより、照明光をいわゆる昼光色、昼白色、白色、温白色、電球色などに変更することができる。
【００３２】
照明光の変更は、照明ユニット２４Ａを取り替えることのほかに、光源ユニット１のＬＥＤモジュール１１を取り替えることによって変更することが可能である。また、ＬＥＤモジュール１１として赤色光、緑色光、青色光の発光輝度を各別に調整可能なものを採用すれば、あらゆる色の照明光を実現することができる。
【００３３】
図１２および図１３は、照明ユニット２４Ｂを示している。照明ユニット２４Ｂは、端面が対向面２３ｂとなっている直状部分と、この直状部分から末広がり状に直径が大となる部分、さらにこれに繋がる傘状部分を有しており、たとえばダイニングルームに設置される蛍光灯照明器具に類似した外観とされている。上記傘状部分の上面は反射部２２ａとされている。この反射部２２ａの直上には、リフレクタ２５が設けられている。上記傘状部分の下面が出射面２２ｂとされている。
【００３４】
図１４および図１５は、照明ユニット２４Ｂの変形例を示している。図１４に示された照明ユニット２４Ｂは、対向面２３ｂから繋がる円環状部分を有している。この円環状部分の表面が出射面２２ｂとされている。出射面２２ｂから出射された光は、カバー３を透して拡散されながら照射される。図１５に示された照明ユニット２４Ｂは、対向面２３ｂから繋がる円環状部分を有している。これら図に示された照明ユニット２４Ｂは、図１０に示された照明ユニット２４Ｂと取り替えて使用可能とされている。
【００３５】
図１６は、照明ユニット２４Ｃを示している。照明ユニット２４Ｃは、その外観が学習机に置かれる蛍光灯スタンドと類似している。照明ユニット２４Ｃは、対向面２３Ｂから繋がる管状部分を有している。この管状部分は、たとえば可撓性を有する透明樹脂によって形成されている。
【００３６】
図１１に示された照明ユニット２４Ｄは、全体が矩形板状とされており、３つの対向面（図示略）と、反射部２２ａおよび出射面２２ｂを有している。照明ユニット２４Ｄには、３つの分割部２３を経由して光が入射する。この光が反射部２２ａによって反射された後に、出射面２２ｂから出射される。このような照明ユニット２４Ｄは、往来空間Ｓｐ全体を均一に照明するのに好適である。
【００３７】
このように、照明装置Ａ６によれば、各部屋に固定された対向面２３ａが、家庭用電源における電源コンセントと同様の機能を果たす。すなわち、照明ユニット２４Ａ，２４Ｂ，２４Ｃのように、対向面２３ｂを有するものであれば、様々な照明ユニットを照明装置Ａ６に組み込むことが可能である。照明ユニット２４Ａ，２４Ｂ，２４Ｃは、電源供給を受けることを要さず、発熱することもない。このため、種々の形状に形成することが容易であり、かつ比較的軽量に仕上げることができる。
【００３８】
本発明に係る照明装置は、上述した実施形態に限定されるものではない。本発明に係る照明装置の各部の具体的な構成は、種々に設計変更自在である。
【００３９】
導光体２の断面形状は、円形状に限定されず、たとえば四角形状であってもよい。また、導光体２は、その長手方向において断面形状が一定であるものに限定されない。反射部２２ａは、複数の溝からなるものに限定されず、たとえば粗面処理が施された構成や、反射膜が設けられた構成であってもよい。
【図面の簡単な説明】
【００４０】
【図１】本発明に係る照明装置の第１実施形態を示す一部断面正面図である。
【図２】図１に示す照明装置の光源ユニットを示す要部断面図である。
【図３】図１に示す照明装置の照射部を示す要部断面図である。
【図４】本発明に係る照明装置の第１実施形態の変形例を示す斜視図である。
【図５】本発明に係る照明装置の第２実施形態を示す斜視図である。
【図６】本発明に係る照明装置の第３実施形態を示す斜視図である。
【図７】本発明に係る照明装置の第４実施形態を示す斜視図である。
【図８】本発明に係る照明装置の第５実施形態を示す斜視図である。
【図９】図８のＩＸ−ＩＸ線に沿う要部断面図である。
【図１０】本発明に係る照明装置の第６実施形態を示す斜視図である。
【図１１】図１０のＸＩ−ＸＩ線に沿う要部断面図である。
【図１２】図１０に示す照明装置に用いられる照明ユニットの一例を示す斜視図である。
【図１３】図１２のＸＩＩＩ−ＸＩＩＩ線に沿う要部断面図である。
【図１４】図１０に示す照明装置に用いられる照明ユニットの他の例を示す斜視図である。
【図１５】図１０に示す照明装置に用いられる照明ユニットの他の例を示す斜視図である。
【図１６】図１０に示す照明装置に用いられる照明ユニットの他の例を示す斜視図である。
【図１７】従来の照明装置の一例を示す正面図である。
【符号の説明】
【００４１】
Ａ１，Ａ２，Ａ３，Ａ４  照明装置
Ｓｐ    往来空間
１      光源ユニット
２      導光体
２ａ    入射面
３      カバー
１１    ＬＥＤモジュール
１２    レンズ
１３    ケース
２１    延長部
２２    照射部
２２ａ  反射部
２２ｂ  出射面
２３    分割部
２３ａ，２３ｂ  対向面
２４Ａ，２４Ｂ，２４Ｃ，２４Ｄ  照明ユニット
２５    リフレクタ
【図１】
2009301988.tif 000003
【図２】
2009301988.tif 000004
【図３】
2009301988.tif 000005
【図４】
2009301988.tif 000006
【図７】
2009301988.tif 000007
【図８】
2009301988.tif 000008
【図９】
2009301988.tif 000009
【図１０】
2009301988.tif 000010
【図１１】
2009301988.tif 000011
【図１２】
2009301988.tif 000012
【図１３】
2009301988.tif 000013
【図１４】
2009301988.tif 000014
【図１５】
2009301988.tif 000015
【図１６】
2009301988.tif 000016
【図１７】
2009301988.tif 000017
【図５】
2009301988.tif 000018
【図６】
2009301988.tif 000019